(57)【要約】【課題】ＬＮＡ部品の小型化にも寄与することが可能となり、また、電流を増加させることなく対処することが可能となる携帯端末装置、通信制御方法及びプログラムを提供する。【解決手段】アンテナと、アンテナスイッチ回路と、複数の周波数帯域回路と、を備え、周波数帯域回路の送信経路と受信経路とが同一の携帯端末装置であって、アンテナの受信レベルが高い場合、アンテナスイッチ回路の内部で、受信電力を、使用中の周波数帯域回路以外の周波数帯域回路に分流する制御を行うことを特徴とする。【選択図】図２
2008236055.tif 000002
【特許請求の範囲】
【請求項１】
アンテナと、アンテナスイッチ回路と、複数の周波数帯域回路と、を備える携帯端末装置であって、
前記周波数帯域回路の送信経路と受信経路とを同一に構成し、
前記アンテナの受信レベルが高い場合、前記アンテナスイッチ回路の内部で、受信電力を、使用中の周波数帯域回路以外の周波数帯域回路に分流する制御を行うことを特徴とする携帯端末装置。
【請求項２】
前記周波数帯域回路の送信経路と受信経路とを別々に構成し、
前記アンテナスイッチ回路の内部で、一定時刻毎に、使用中の周波数帯域回路の送信経路又は受信経路を切り換えることを特徴とする請求項１記載の携帯端末装置。
【請求項３】
前記複数の周波数帯域回路毎に対応して設けられた複数のスイッチと、
前記受信電力の強さに基づいて、前記複数のスイッチをオン又はオフにする制御を行うロジック部と、を有し、
前記ロジック部は、
前記アンテナの受信レベルが高い場合、使用中の周波数帯域回路に対応したスイッチをオフにし、未使用の周波数帯域回路に対応したスイッチをオンにすることを特徴とする請求項１又は２記載の携帯端末装置。
【請求項４】
前記ロジック部は、
前記アンテナの受信レベルが高い場合、前記使用中の周波数帯域回路に対応したスイッチを、受信経路側をオフにし、送信経路側をオンにすることを特徴とする請求項３記載の携帯端末装置。
【請求項５】
アンテナと、アンテナスイッチ回路と、複数の周波数帯域回路と、を備え、前記周波数帯域回路の送信経路と受信経路とが別々である携帯端末装置であって、
前記アンテナスイッチ回路の内部で、一定時刻毎に、使用中の周波数帯域回路の送信経路又は受信経路を切り換えることを特徴とする携帯端末装置。
【請求項６】
前記複数の周波数帯域回路毎に対応して設けられた複数のスイッチと、
前記受信電力の強さに基づいて、前記複数のスイッチをオン又はオフにする制御を行うロジック部と、を有し、
前記ロジック部は、
前記アンテナの受信レベルが高い場合、前記使用中の周波数帯域回路に対応したスイッチを、受信経路側をオフにし、送信経路側をオンにすることを特徴とする請求項５記載の携帯端末装置。
【請求項７】
前記アンテナの受信レベルが高い場合、前記受信電力を、分流する専用経路に伝達する受信専用回路を有することを特徴とする請求項１から６のいずれか１項に記載の携帯端末装置。
【請求項８】
アンテナと、アンテナスイッチ回路と、複数の周波数帯域回路と、を備える端末装置で行われる通信制御方法であって、
前記端末装置が、前記周波数帯域回路の送信経路と受信経路とが同一の構成である場合、
前記アンテナの受信レベルが高い場合、前記アンテナスイッチ回路の内部で、受信電力を、使用中の周波数帯域回路以外の周波数帯域回路に分流する制御を行うことを特徴とする通信制御方法。
【請求項９】
前記端末装置が、前記周波数帯域回路の送信経路と受信経路とが別々の構成である場合、
前記アンテナスイッチ回路の内部で、一定時刻毎に、使用中の周波数帯域回路の送信経路又は受信経路を切り換えることを特徴とする請求項８記載の通信制御方法。
【請求項１０】
前記アンテナの受信レベルが高い場合、使用中の周波数帯域回路に対応して設けられたスイッチをオフにし、未使用の周波数帯域回路に対応したスイッチをオンにすることを特徴とする請求項８又は９記載の通信制御方法。
【請求項１１】
前記アンテナの受信レベルが高い場合、前記使用中の周波数帯域回路に対応して設けられたスイッチを、受信経路側をオフにし、送信経路側をオンにすることを特徴とする請求項１０記載の通信制御方法。
【請求項１２】
アンテナと、アンテナスイッチ回路と、複数の周波数帯域回路と、を備え、前記周波数帯域回路の送信経路と受信経路とが別々である端末装置で行われる通信制御方法であって、
前記アンテナスイッチ回路の内部で、一定時刻毎に、使用中の周波数帯域回路の送信経路又は受信経路を切り換えることを特徴とする通信制御方法。
【請求項１３】
前記アンテナの受信レベルが高い場合、前記使用中の周波数帯域回路に対応して設けられたスイッチを、受信経路側をオフにし、送信経路側をオンにすることを特徴とする請求項１２記載の通信制御方法。
【請求項１４】
前記アンテナの受信レベルが高い場合、前記受信電力を、分流する専用経路に伝達することを特徴とする請求項８から１３のいずれか１項に記載の通信制御方法。
【請求項１５】
アンテナと、アンテナスイッチ回路と、複数の周波数帯域回路と、を備える端末装置に実行させるプログラムであって、
前記端末装置が、前記周波数帯域回路の送信経路と受信経路とが同一の構成である場合、
前記アンテナの受信レベルが高い場合、前記アンテナスイッチ回路の内部で、受信電力を、使用中の周波数帯域回路以外の周波数帯域回路に分流する制御処理をコンピュータに実行させることを特徴とするプログラム。
【請求項１６】
前記端末装置が、前記周波数帯域回路の送信経路と受信経路とが別々の構成である場合、
前記アンテナスイッチ回路の内部で、一定時刻毎に、使用中の周波数帯域回路の送信経路又は受信経路を切り換える処理をコンピュータに実行させることを特徴とする請求項１５記載のプログラム。
【請求項１７】
前記アンテナの受信レベルが高い場合、使用中の周波数帯域回路に対応して設けられたスイッチをオフにし、未使用の周波数帯域回路に対応したスイッチをオンにする処理をコンピュータに実行させることを特徴とする請求項１５又は１６記載のプログラム。
【請求項１８】
前記アンテナの受信レベルが高い場合、前記使用中の周波数帯域回路に対応して設けられたスイッチを、受信経路側をオフにし、送信経路側をオンにする処理をコンピュータに実行させることを特徴とする請求項１７記載のプログラム。
【請求項１９】
アンテナと、アンテナスイッチ回路と、複数の周波数帯域回路と、を備え、前記周波数帯域回路の送信経路と受信経路とが別々である端末装置に実行させるプログラムであって、
前記アンテナスイッチ回路の内部で、一定時刻毎に、使用中の周波数帯域回路の送信経路又は受信経路を切り換える処理をコンピュータに実行させることを特徴とするプログラム。
【請求項２０】
前記アンテナの受信レベルが高い場合、前記使用中の周波数帯域回路に対応して設けられたスイッチを、受信経路側をオフにし、送信経路側をオンにする処理をコンピュータに実行させることを特徴とする請求項１９記載のプログラム。
【請求項２１】
前記アンテナの受信レベルが高い場合、前記受信電力を、分流する専用経路に伝達する処理をコンピュータに実行させることを特徴とする請求項１５から２０のいずれか１項に記載のプログラム。
【発明の詳細な説明】
【技術分野】
【０００１】
本発明は、携帯端末装置、通信制御方法及びプログラムに関する。
【背景技術】
【０００２】
現在、携帯端末装置の高機能化に伴い、部品点数が増加する一方で、携帯端末装置の小型化も命題となっているため、有限の実装領域に対する部品搭載が課題となっている。この課題に対し、部品の小型化が解決手段のひとつとなる。よって、従来の回路をシュリンクする必要に迫られている。
【０００３】
特に、無線通信機能を備える従来の携帯端末装置では、一定以上の無線ブロッキング特性やＢＥＲ（Bit Error Rate）特性を確保するために高入力で装置が電力を受信する際、ＬＮＡ（Low Noise Amplifier）部品に歪みを起こさないためにバイパス回路を用いてきた。しかし、この手段ではバイパス回路を用いる分、回路が大型になる課題がある。
【０００４】
他の解決手段として、ＬＮＡのＰ１dB特性を改善して高レベル電力入力にて歪まないようバイアス電流を増やす手法も取られて来たが、この手段ではＬＮＡに流す電流を増加させる必要があるため、装置全体の受信電流が増加するという課題があった。
【０００５】
上述したような無線通信機能を備える携帯端末装置の従来技術例として、無線部とＣＰＵとの間の制御のためのインターフェイス線を増加させることなく、マルチバンド無線機における周波数バンド切換制御を効率的に行うものがある（例えば、特許文献１参照）。
【特許文献１】特開２００６−８０６７１号公報
【発明の開示】
【発明が解決しようとする課題】
【０００６】
本発明は、上記事情に鑑みてなされたものであり、従来の携帯端末装置の無線回路部で使用されているアンテナスイッチの新たな制御方法として、アンテナスイッチにて内部で使用していない周波数帯のパスをＯＮすることによって、高入力で装置が電力を受信する場合についても低入力の電力にしてＬＮＡ部品に入力を行う制御を実現するため、回路を増加させることも無く、また、電流を増加させることもなく、アンテナスイッチのソフトウェア制御を付加することで、上記課題を解決することが可能となる携帯端末装置、通信制御方法及びプログラムを提供することを目的とする。
【課題を解決するための手段】
【０００７】
かかる目的を達成するために、請求項１記載の発明は、アンテナと、アンテナスイッチ回路と、複数の周波数帯域回路と、を備える携帯端末装置であって、周波数帯域回路の送信経路と受信経路とを同一に構成し、アンテナの受信レベルが高い場合、アンテナスイッチ回路の内部で、受信電力を、使用中の周波数帯域回路以外の周波数帯域回路に分流する制御を行うことを特徴とする。
【０００８】
請求項２記載の発明は、請求項１記載の発明において、周波数帯域回路の送信経路と受信経路とを別々に構成し、アンテナスイッチ回路の内部で、一定時刻毎に、使用中の周波数帯域回路の送信経路又は受信経路を切り換えることを特徴とする。
【０００９】
請求項３記載の発明は、請求項１又は２記載の発明において、複数の周波数帯域回路毎に対応して設けられた複数のスイッチと、受信電力の強さに基づいて、複数のスイッチをオン又はオフにする制御を行うロジック部と、を有し、ロジック部は、アンテナの受信レベルが高い場合、使用中の周波数帯域回路に対応したスイッチをオフにし、未使用の周波数帯域回路に対応したスイッチをオンにすることを特徴とする。
【００１０】
請求項４記載の発明は、請求項３記載の発明において、ロジック部は、アンテナの受信レベルが高い場合、使用中の周波数帯域回路に対応したスイッチを、受信経路側をオフにし、送信経路側をオンにすることを特徴とする。
【００１１】
請求項５記載の発明は、アンテナと、アンテナスイッチ回路と、複数の周波数帯域回路と、を備え、周波数帯域回路の送信経路と受信経路とが別々である携帯端末装置であって、アンテナスイッチ回路の内部で、一定時刻毎に、使用中の周波数帯域回路の送信経路又は受信経路を切り換えることを特徴とする。
【００１２】
請求項６記載の発明は、請求項５記載の発明において、複数の周波数帯域回路毎に対応して設けられた複数のスイッチと、受信電力の強さに基づいて、複数のスイッチをオン又はオフにする制御を行うロジック部と、を有し、ロジック部は、アンテナの受信レベルが高い場合、使用中の周波数帯域回路に対応したスイッチを、受信経路側をオフにし、送信経路側をオンにすることを特徴とする。
【００１３】
請求項７記載の発明は、請求項１から６のいずれか１項に記載の発明において、アンテナの受信レベルが高い場合、受信電力を、分流する専用経路に伝達する受信専用回路を有することを特徴とする。
【００１４】
請求項８記載の発明は、アンテナと、アンテナスイッチ回路と、複数の周波数帯域回路と、を備える端末装置で行われる通信制御方法であって、端末装置が、周波数帯域回路の送信経路と受信経路とが同一の構成である場合、アンテナの受信レベルが高い場合、アンテナスイッチ回路の内部で、受信電力を、使用中の周波数帯域回路以外の周波数帯域回路に分流する制御を行うことを特徴とする。
【００１５】
請求項９記載の発明は、請求項８記載の発明において、端末装置が、周波数帯域回路の送信経路と受信経路とが別々の構成である場合、アンテナスイッチ回路の内部で、一定時刻毎に、使用中の周波数帯域回路の送信経路又は受信経路を切り換えることを特徴とする。
【００１６】
請求項１０記載の発明は、請求項８又は９記載の発明において、アンテナの受信レベルが高い場合、使用中の周波数帯域回路に対応して設けられたスイッチをオフにし、未使用の周波数帯域回路に対応したスイッチをオンにすることを特徴とする。
【００１７】
請求項１１記載の発明は、請求項１０記載の発明において、アンテナの受信レベルが高い場合、使用中の周波数帯域回路に対応して設けられたスイッチを、受信経路側をオフにし、送信経路側をオンにすることを特徴とする。
【００１８】
請求項１２記載の発明は、アンテナと、アンテナスイッチ回路と、複数の周波数帯域回路と、を備え、周波数帯域回路の送信経路と受信経路とが別々である端末装置で行われる通信制御方法であって、アンテナスイッチ回路の内部で、一定時刻毎に、使用中の周波数帯域回路の送信経路又は受信経路を切り換えることを特徴とする。
【００１９】
請求項１３記載の発明は、請求項１２記載の発明において、アンテナの受信レベルが高い場合、使用中の周波数帯域回路に対応して設けられたスイッチを、受信経路側をオフにし、送信経路側をオンにすることを特徴とする。
【００２０】
請求項１４記載の発明は、請求項８から１３のいずれか１項に記載の発明において、アンテナの受信レベルが高い場合、受信電力を、分流する専用経路に伝達することを特徴とする。
【００２１】
請求項１５記載の発明は、アンテナと、アンテナスイッチ回路と、複数の周波数帯域回路と、を備える端末装置に実行させるプログラムであって、端末装置が、周波数帯域回路の送信経路と受信経路とが同一の構成である場合、アンテナの受信レベルが高い場合、アンテナスイッチ回路の内部で、受信電力を、使用中の周波数帯域回路以外の周波数帯域回路に分流する制御処理をコンピュータに実行させることを特徴とする。
【００２２】
請求項１６記載の発明は、請求項１５記載の発明において、端末装置が、周波数帯域回路の送信経路と受信経路とが別々の構成である場合、アンテナスイッチ回路の内部で、一定時刻毎に、使用中の周波数帯域回路の送信経路又は受信経路を切り換える処理をコンピュータに実行させることを特徴とする。
【００２３】
請求項１７記載の発明は、請求項１５又は１６記載の発明において、アンテナの受信レベルが高い場合、使用中の周波数帯域回路に対応して設けられたスイッチをオフにし、未使用の周波数帯域回路に対応したスイッチをオンにする処理をコンピュータに実行させることを特徴とする。
【００２４】
請求項１８記載の発明は、請求項１７記載の発明において、アンテナの受信レベルが高い場合、使用中の周波数帯域回路に対応して設けられたスイッチを、受信経路側をオフにし、送信経路側をオンにする処理をコンピュータに実行させることを特徴とする。
【００２５】
請求項１９記載の発明は、アンテナと、アンテナスイッチ回路と、複数の周波数帯域回路と、を備え、周波数帯域回路の送信経路と受信経路とが別々である端末装置に実行させるプログラムであって、アンテナスイッチ回路の内部で、一定時刻毎に、使用中の周波数帯域回路の送信経路又は受信経路を切り換える処理をコンピュータに実行させることを特徴とする。
【００２６】
請求項２０記載の発明は、請求項１９記載の発明において、アンテナの受信レベルが高い場合、使用中の周波数帯域回路に対応して設けられたスイッチを、受信経路側をオフにし、送信経路側をオンにする処理をコンピュータに実行させることを特徴とする。
【００２７】
請求項２１記載の発明は、請求項１５から２０のいずれか１項に記載の発明において、アンテナの受信レベルが高い場合、受信電力を、分流する専用経路に伝達する処理をコンピュータに実行させることを特徴とする。
【発明の効果】
【００２８】
本発明によれば、アンテナからの高レベル電力入力によってＬＮＡ出力が歪んでＢＥＲが劣化することを防ぐことで、従来広く行われてきたＬＮＡ回路をバイパスする手法と比較すると、バイパス回路を削除することが可能となるため、ＬＮＡ部品の小型化にも寄与することが可能となり、また、従来別な手法としてＬＮＡのＰ１dB特性を改善して高レベル電力入力にて歪まないようバイアス電流を増やす手法も取られて来たが、この手法と比較しても、電流を増加させることなく対処することが可能となる。
【発明を実施するための最良の形態】
【００２９】
以下、本発明を実施するための最良の形態について添付図面を参照して詳細に説明する。
【００３０】
本発明は、従来の携帯端末装置の無線回路部で使用する部品アンテナスイッチの新たな制御方法により、アンテナからの高レベル電力入力によってＬＮＡ出力が歪んでＢＥＲが劣化することを防ぐことを特徴とする。よって、本発明は、高レベル電力入力によってＬＮＡ出力が歪んでＢＥＲが劣化することを防ぐので、従来広く行われてきたＬＮＡ（Low Noise Amplifier）回路をバイパスする手法と比較すると、バイパス回路を削除することが可能となるため、ＬＮＡ部品の小型化にも寄与することができる。また、従来別な手法としてＬＮＡのＰ１dB特性を改善して高レベル電力入力にて歪まないようバイアス電流を増やす手法も取られて来たが、この手法と比較しても、電流を増加させることなく対処することが可能となる。
以上のような効果を奏する本発明の各実施例について、以下に説明する。
【実施例１】
【００３１】
現在、携帯端末装置の主流方式であるＣＤＭＡ（Code Division Multiple Access）方式を基に説明する。
従来のＣＤＭＡ方式の無線回路部の構成を図９に示す。図９は、f１帯、f２帯の２周波数帯での送受信回路である。各々の帯域について、デュープレクサ３，４よりＲＦＩＣ回路７側で送受信の分岐となる。図９に示す構成では、取得した波形データを予めメモリ１１に格納されている波形データと比較し、ＬＮＡ制御を行う。
【００３２】
上記従来のＣＤＭＡ方式の無線回路部における、アンテナスイッチ回路及びＬＮＡ回路内の回路構成を図１０及び図１１に示す。携帯端末装置が基地局に近い状態にあり、強い電力を受信する場合（高入力時）の動作状態を図１０（ａ）、（ｂ）に示し、また、携帯端末装置が基地局に遠い状態にあり、弱い電力を受信する場合（低入力時）の動作状態を図１１（ａ）、（ｂ）に示す。
【００３３】
アンテナスイッチ回路２は、図１０（ａ）、図１１（ａ）に示すとおり、高入力時、低入力時を問わず、送受信帯の切り換えスイッチとして機能する。一方、ＬＮＡ回路（Ｒｘ回路６内のローノイズアンプ）６１では、高入力時は図１０（ｂ）のとおりバイパス回路をかえして、低入力時は図１１（ｂ）のとおり弱い電力を増幅して、ＲＦＩＣ回路７へ伝達を行う。高入力時にバイパス回路を通す理由は、ＬＮＡに歪みを起こさないためと、電力を増幅させる必要がないためである。この制御はＬＮＡ回路６１内のロジック部（ロジック回路）で行う。
【００３４】
以上のような従来の構成に対し、本発明のＣＤＭＡ方式の無線回路部の構成を図１に示す。また、本発明のアンテナスイッチ回路及びＬＮＡ回路内の回路構成を図２及び図３に示す。上記従来の構成と異なり、本発明の構成では、取得した波形データを予めメモリ１１に格納されている波形データと比較し、アンテナスイッチ制御を行う。
【００３５】
高入力時の動作状態を図２（ａ）、（ｂ）に示し、また、低入力時の動作状態を図３（ａ）、（ｂ）に示す。本発明では、アンテナスイッチ回路２の構成は従来と変えずに、ＬＮＡ回路６１のバイパス回路を取り除いて増幅回路のみにし、それによりロジック部（ロジック回路）を必要としない部品の小型化を実現する構成となっている。すなわち、本発明は、図１のブロック中、アンテナ１とデュープレクサ３，４間のアンテナスイッチ回路２の新たな制御方法を実現することにより、Ｒｘ回路６内のＬＮＡ回路６１のバイパス回路を削除し、ＬＮＡ回路６１の小型化を実現する。
【００３６】
本発明の実施例１の動作について説明する。ここでは、f１帯の電力を受信する事例で考える。
アンテナスイッチ回路２内において、図２（ａ）に示す高入力時の場合、電力の強さの情報を基にロジック部２１は、各スイッチをＯＮにするかＯＦＦにするかを判断し、判断の結果、f１帯回路側のスイッチ２２をＯＦＦにし、また、f２帯回路側のスイッチ２３をＯＮにする。このスイッチのＯＮ／ＯＦＦ制御により、強い電力のほとんどは、機能していないf２帯の無線回路に分流され、その一方で、ＯＦＦ状態のf１帯の無線回路は、スイッチ部でのカップリングにより微弱な電力としてデュープレクサへ伝達される。分流による効果で、f１帯の無線回路では、図２（ｂ）のＬＮＡ回路６１を通過する前に低入力時と同様の状態となる。図２（ｂ）のＬＮＡ回路６１では、従来の低入力時と同様の動作を行う。分流されたf２帯の無線回路への電力は、ＲＦＩＣ回路７側へ伝達されていくが、そのまま吸収する。
なお、図３（ａ）に示す低入力時の場合で、ｆ１帯使用時の場合、ロジック部２１は、使用帯域であるｆ１帯回路側のスイッチ２２をＯＮにし、また、未使用帯域であるｆ２帯回路側のスイッチ２３をＯＦＦにする。
【００３７】
図７に制御フローチャートを示す。図８のタイミングチャートに示すように、閾値を２つ（Ｘ値、Ｙ値）定義し、高入力時の受信電力を落とす制御を実現する。実際に装置が受信する電力をＰ１（t）、制御後の電力をＰ２（t）とする。
ステップＳ１において、Ｐ１（t）≧Ｐ１（t-1）である場合は（ステップＳ１／ＹＥＳ）、ステップＳ３へ進む。
ステップＳ１において、Ｐ１（t）≧Ｐ１（t-1）ではない場合は（ステップＳ１／ＮＯ）、ステップＳ２へ進む。
ステップＳ２において、Ｐ１（t）≦Ｘ値である場合は（ステップＳ２／ＹＥＳ）、ステップＳ５へ進む。
ステップＳ２において、Ｐ１（t）≦Ｘ値ではない場合は（ステップＳ２／ＮＯ）、ステップＳ４へ進む。
ステップＳ３において、Ｐ１（t）≦Ｙ値である場合は（ステップＳ３／ＹＥＳ）、ステップＳ４へ進む。
ステップＳ３において、Ｐ１（t）≦Ｙ値ではない場合は（ステップＳ３／ＮＯ）、ステップＳ５へ進む。
ステップＳ４において、Ｐ２（t）＝Ｐ１（t）とし、ステップＳ１へ戻る。
ステップＳ５において、Ｐ２（t）＝Ｐ１（t）−Ｙとし、ステップＳ１へ戻る。
【００３８】
上記において、閾値（Ｘ値、Ｙ値）を２つ設ける理由は、１つの場合だと、高入力の電力を落とした後に、元の電力の大きさに戻す動作を行い、閾値境にて制御がばたつくので、これを防ぐためである。また、上記制御をするためには、Ｐ１（t）、Ｐ２（t）の値を格納する記憶装置が必要であるが、それは図１中のメモリ１１に格納することで実現する。
【００３９】
ＣＤＭＡ方式の場合、デュープレクサよりアンテナ側では送受信経路が同じため、高入力時にアンテナスイッチ回路で上記制御を行うと、携帯端末装置から基地局への送信電力もスイッチＯＦＦ状態の経路を通ることになり、微弱な電力としてアンテナより送信される。しかし、高入力時は携帯端末装置が基地局に近い状態なので、電力を増幅する必要はない。
【実施例２】
【００４０】
ＧＳＭで使用するＴＤＭＡ（ＴＤＭＡ:Time Division Multiple Access）方式を基に説明する。
ＴＤＭＡ方式の無線回路部の構成を図４に示す。図４は、f１帯、f２帯の２周波数帯での送受信回路である。上述したＣＤＭＡ方式と異なり、f１帯、f２帯各々の周波数帯の送信、受信の経路は別になるが、経路を変更するためのスイッチ（図５参照）が必要となる。このスイッチよりＲＦＩＣ側への送受信経路についてはＣＤＭＡ方式と同様の構成である。アンテナスイッチ回路と、Ｒｘ回路内のローノイズアンプ（ＬＮＡ回路）を組み合わせることにより、ＬＮＡ回路の小型化を実現する。
【００４１】
アンテナスイッチ回路内の構成を図５に示す。図５は、f１帯のみを例に挙げた場合であるが、f２帯の回路についても同様に適用可能である。ロジック部２１の制御により、スイッチ２４は、一定時刻毎に送信、受信を切り換えるため、送受信が同時に行われることはない。一方で、ＬＮＡ回路はＣＤＭＡ方式で説明したものと同じため、ここでの説明は省略する。
【００４２】
本発明の実施例２の動作について説明する。
ＰＤＣ、ＧＳＭで使用するＴＤＭＡ方式の無線回路部では、ＣＤＭＡ方式と異なり、送受信部が別経路になる（図４）。従って、ＣＤＭＡ方式のように高入力時に送信電力が微弱になることはない。アンテナスイッチ回路の動作は、ＣＤＭＡ方式と異なるため、以下に説明する。
【００４３】
高入力時の場合、電力の強さの情報を基にロジック部２１でのスイッチＯＮ／ＯＦＦ判断から、スイッチ２４を、Ｒｘ回路側をＯＦＦ（Ｔｘ回路側をＯＮ）にする。ＯＦＦ状態のＲｘ回路側は、スイッチ部でのカップリングにより微弱な電力として伝達される。分流による効果でＲｘ回路では、ＬＮＡ回路を通過する前に低入力時と同様の状態となる。一方で、分流されたＴｘ回路への電力は、ＲＦＩＣ側へ伝達されていくが、そのまま吸収する。低入力時の場合は、従来どおりＲｘ回路側をＯＮ（Ｔｘ回路側をＯＦＦ）にする。
上記のように制御することにより、ＬＮＡ回路への入力電力は常に微弱な電力であり、ＬＮＡでは電力を増幅する動作のみを行う。
【実施例３】
【００４４】
空間ダイバーシチ受信機を持つ無線回路の実施例で説明する。
無線回路部の構成を図６に示す。図６に示すとおり、図１、図４で例に挙げた通信方式に加えて、受信専用の無線回路１２を有する構成である。ＣＤＭＡ方式やＴＤＭＡ方式の受信部以外に受信機を使い、別々にデコードする。各受信機の位相差を検出・補正し、再合成することにより、マルチパス環境下においてもＳ／Ｎ比の良好な受信を実現する構成となっている。
【００４５】
本発明の実施例３の動作について説明する。
ＣＤＭＡ方式の場合は、送受信回路がアンテナとデュープレクサで同経路であり、また、ＴＤＭＡ方式の場合は、送受信部が別経路であった。受信ダイバーシチの場合は、受信回路１２しかないため、ＣＤＭＡ方式の問題は発生せずに、本発明を適用可能である。
【００４６】
本発明を適用する場合は、ＣＤＭＡ方式の場合のアンテナスイッチ回路制御に相当する箇所を受信アンテナのスイッチングに適用すれば良い。
【００４７】
以上のように、本発明の実施例１〜３では、アンテナスイッチでの新たな制御によりＬＮＡのバイパス回路を削除する構成を主に説明してきた。この手段ではアンテナスイッチのみでのカップリングしか実現出来ないが、ＬＮＡのバイパス回路を削除せずにその箇所でもう一段分カップリングを行うことも考えられる。それにより、受信電力の大きさを更に調整することが可能となる。
【００４８】
上記実施例１〜３のいずれか２つ以上を組み合わせ、アンテナ受信レベルに応じて各制御の多重度を変更する制御を行うようにしてもよい。
【００４９】
以上、本発明について説明したが、上記記載に限定されるものではなく、その要旨を逸脱しない範囲において種々の変形が可能である。
【産業上の利用可能性】
【００５０】
本発明は、携帯端末装置であって、ＬＮＡ及びアンテナスイッチを搭載する装置に適用できる。
【図面の簡単な説明】
【００５１】
【図１】本発明の実施例１に係るＣＤＭＡ方式の無線回路部の構成を示すブロック図である。
【図２】本発明の実施例１に係るアンテナスイッチ回路及びＬＮＡ回路内における高入力時の動作状態を示す図である。
【図３】本発明の実施例１に係るアンテナスイッチ回路及びＬＮＡ回路内における低入力時の動作状態を示す図である。
【図４】本発明の実施例２に係るＴＤＭＡ方式の無線回路部の構成を示すブロック図である。
【図５】本発明の実施例２に係るＧＳＭアンテナスイッチ回路内の構成を示す図である。
【図６】本発明の実施例３に係る受信ダイバーシチの構成を示すブロック図である。
【図７】本発明の実施例１に係る制御動作を示すフローチャートである。
【図８】本発明の実施例１に係る制御動作を示すタイミングチャートである。
【図９】従来のＣＤＭＡ方式の無線回路部の構成を示すブロック図である。
【図１０】従来のＣＤＭＡ方式のアンテナスイッチ回路及びＬＮＡ回路内における高入力時の動作状態を示す図である。
【図１１】従来のＣＤＭＡ方式のアンテナスイッチ回路及びＬＮＡ回路内における低入力時の動作状態を示す図である。
【符号の説明】
【００５２】
１    アンテナ
２    アンテナスイッチ回路
３    ｆ１帯デュープレクサ
４    ｆ２帯デュープレクサ
５    Ｔｘ回路
６    Ｒｘ回路
７    ＲＦＩＣ回路
８    ＡＤコンバータ
９    ＡＧＣ制御回路及び受信レベル測定回路
１０    比較機
１１    メモリ
１２    受信専用の無線回路
２１    ロジック部
２２、２３、２４    スイッチ
６１    ＬＮＡ回路（ローノイズアンプ）
【図１】
2008236055.tif 000003
【図２】
2008236055.tif 000004
【図３】
2008236055.tif 000005
【図４】
2008236055.tif 000006
【図５】
2008236055.tif 000007
【図６】
2008236055.tif 000008
【図７】
2008236055.tif 000009
【図８】
2008236055.tif 000010
【図９】
2008236055.tif 000011
【図１０】
2008236055.tif 000012
【図１１】
2008236055.tif 000013